(57)【要約】【課題】チャンネル毎に番組情報を提示すると、表示される放送局の情報が少なくなってしまい、新聞や雑誌等の印刷物に掲載される番組表に慣れたユーザーにとって一覧性に優れない番組表を提供してしまうことになる。【解決手段】ある時間帯における、前記放送局より放送されるチャンネルが複数存在し、かつ、それぞれのチャンネルにおける番組情報が異なるか否かを判定する判定手段と、前記判定手段により、同一の放送局より放送されるチャンネルが複数存在し、かつ、それぞれのチャンネルにおける番組情報が異なると判定された場合には、チャンネルと時間帯によって決まる区画内に、複数のチャンネルが存在することを表示し、さらに、その区画内で複数のチャンネルを選択可能にして、選択されたチャンネルの番組情報を表示する。【選択図】図１
2008113271.tif 000002
【特許請求の範囲】
【請求項１】
番組情報を含むデジタル放送信号から電子番組表データを生成し、この電子番組表データの一部をモニタに表示させるデジタル放送受信装置において、
放送局より送信されるチャンネルを横方向もしくは縦方向の一方の軸とし、時間帯を横方向もしくは縦方向の他方の軸として、チャンネルと時間帯によって決まる区画に前記番組情報を表示するためのオンスクリーン信号を発生するオンスクリーン信号発生手段と、
ある時間帯における、前記放送局より放送されるチャンネルが複数存在し、かつ、それぞれのチャンネルにおける番組情報が異なるか否かを判定する判定手段とを備え、
前記オンスクリーン信号発生手段は、前記判定手段により、同一の放送局より放送されるチャンネルが複数存在し、かつ、それぞれのチャンネルにおける番組情報が異なると判定された場合には、チャンネルと時間帯によって決まる区画内に、さらに複数のチャンネルが存在することを表示するオンスクリーン信号を発生することを特徴とするデジタル放送受信装置。
【請求項２】
チャンネルと時間帯によって決まる区画を選択する前記区画選択手段と、前記判定手段により、チャンネルと時間帯によって決まる区画内に複数のチャンネルが存在し、かつ、それぞれのチャンネルにおける番組情報が異なると判定された場合に、前記区画内に存在する複数のチャンネルのうち一つを選択する選択手段と、前記番組情報表示手段は、前記選択手段によって選択されたチャンネルの番組情報を、前記区画内に表示することを特徴とする請求項１に記載のデジタル放送受信装置。
【発明の詳細な説明】
【技術分野】
【０００１】
本発明は、デジタル放送を受信するデジタル放送受信機に関し、特に、番組情報提示機能を備えたデジタル放送受信機に関するものである。
【背景技術】
【０００２】
デジタル放送においては、従来のアナログ放送における１つのチャンネル帯域幅に複数のチャンネルを多重化して送信することができる。このことにより、割り当てられた周波数帯域で、同時に一つの放送を行なったり、その帯域を複数に分割して複数の番組を放送したりすることが可能になっている。
【０００３】
例えば、ＢＳデジタル放送では、放送局に割り当てられた帯域に高精細なテレビジョン放送を放送したり、同じ帯域で標準テレビジョン放送を３チャンネル程度放送したりといった運用がなされており、また、地上デジタル放送では割り当てられた帯域を１３のセグメントに分割し、そのうちの１２セグメントを用いておもに固定受信装置向けの放送を行ない、残る１セグメントで別のチャンネルを放送する、といった運用がなされている。
【０００４】
さらにデジタル放送においては、放送番組自体の映像信号や音声信号と併せて番組特定情報や番組配列情報等のデジタル信号を多重化して伝送することでユーザーがモニタ上で番組検索や選択等を行なえる電子番組表と呼ばれる機能を提供できるようにしている。図４は、時間帯を縦方向に、チャンネルを横方向にした番組表を示している。従来の番組表では、図４に示す通り、各放送局に割り当てられたチャンネル毎に区画を設定して表示領域を構成していた。このため各放送局の番組情報を表示するモニタ上の面積は、割り当てられているチャンネル数によって異なるように表示されている。また番組表では、各チャンネルで同一番組が同一時間帯で放送される場合に、各チャンネル毎に番組を表示することになる。この場合、必ずしも視認性に優れているとは言えず、更にはモニタ上の限られた表示領域を有効に利用しているとは言えない。このような不都合を解決する技術として、複数のチャンネルが割り当てられている放送局において各チャンネルで同一番組や同一ジャンルの番組が同一時間帯で放送される場合に、各チャンネル毎に番組を表示するのではなく、同一番組を有するチャンネルを一つの放送チャンネル分に統合して表示するという技術が開示されている（例えば、特許文献１に記載。）。
【特許文献１】特開２００４−１３５１６６号公報
【発明の開示】
【発明が解決しようとする課題】
【０００５】
しかしながら、この技術は同一時間帯に同一番組が複数チャンネルにわたって存在するときに有効であって、モニタに表示される番組表が同一時間帯に同一番組を放送していない場合を表示するときには、チャンネル毎の区画にそれぞれの番組情報を表示することになってしまう。その結果、チャンネル毎には番組情報が提示される分、表示される放送局の情報が少なくなってしまい、新聞や雑誌等の印刷物に掲載される番組表に慣れたユーザーにとって一覧性に優れない番組表を提供してしまうことになるという問題があった。
【課題を解決するための手段】
【０００６】
本発明は、番組情報を含むデジタル放送信号から電子番組表データを生成し、この電子番組表データの一部をモニタに表示させるデジタル放送受信装置において、放送局より送信されるチャンネルを横方向もしくは縦方向の一方の軸とし、時間帯を横方向もしくは縦方向の他方の軸として、チャンネルと時間帯によって決まる区画に前記番組情報を表示するためのオンスクリーン信号を発生するオンスクリーン信号発生手段と、ある時間帯における、前記放送局より放送されるチャンネルが複数存在し、かつ、それぞれのチャンネルにおける番組情報が異なるか否かを判定する判定手段とを備え、前記オンスクリーン信号発生手段は、前記判定手段により、同一の放送局より放送されるチャンネルが複数存在し、かつ、それぞれのチャンネルにおける番組情報が異なると判定された場合には、チャンネルと時間帯によって決まる区画内に、さらに複数のチャンネルが存在することを表示するオンスクリーン信号を発生することを特徴とする。本発明によれば、ある時間帯における、前記放送局より放送されるチャンネルが複数存在し、かつ、それぞれのチャンネルにおける番組情報が異なるか否かを判定する判定手段と、前記判定手段により、同一の放送局より放送されるチャンネルが複数存在し、かつ、それぞれのチャンネルにおける番組情報が異なると判定された場合には、チャンネルと時間帯によって決まる区画内に、複数のチャンネルが存在することを表示する番組情報表示手段と、を有するため、一つの放送局に複数のチャンネルが割り当てられていて、かつ、それぞれのチャンネルである時間帯に異なる番組を放送している場合でも、多くの放送局の情報をモニタ上に表示することができる。また、本発明によれば、ある時間帯にある放送局が複数のチャンネルで異なる番組を放送しているか否かを即座に判断できる。また、本発明では、ある時間帯にある放送局が複数のチャンネルで異なる番組を放送している場合に、当該時間帯と当該チャンネルで決まる区画に、複数のチャンネルのそれぞれの放送している番組の番組情報を表示することができ、モニタ上に表示される放送局の情報を少なくすることのない、電子番組表を実現できる。さらに、本発明では、チャンネルと時間帯によって決まる区画内に複数のチャンネルが存在し、かつ、それぞれのチャンネルにおける番組情報が異なると判定された場合に、前記区画内に存在する複数のチャンネルの番組情報を表示することができ、複数のチャンネルの番組情報の一覧表示が実現できる。
【発明の効果】
【０００７】
本発明によれば、ある時間帯における、前記放送局より放送されるチャンネルが複数存在し、かつ、それぞれのチャンネルにおける番組情報が異なるか否かを判定する判定手段と、前記判定手段により、同一の放送局より放送されるチャンネルが複数存在し、かつ、それぞれのチャンネルにおける番組情報が異なると判定された場合には、チャンネルと時間帯によって決まる区画内に、複数のチャンネルが存在することを表示する番組情報表示手段と、を有するため、一つの放送局に複数のチャンネルが割り当てられていて、かつ、それぞれのチャンネルである時間帯に異なる番組を放送している場合でも、多くの放送局の情報をモニタ上に表示することができる。
【発明を実施するための最良の形態】
【０００８】
以下、本発明を実施するための最良の形態について、図面を参照しながら説明する。
【０００９】
（実施の形態１）
図１は本発明のデジタル放送受信機の一実施例を示すブロック図、図２は本発明のデジタル放送受信機による番組表の例を示す図である。図１において、アンテナ１０１より入力されたデジタル放送波は、受信復調部１０２によって受信され、伝送過程において変調されていた信号が復調されてベースバンドのビットストリーム信号とされる。このビットストリーム信号がスクランブルのかかった信号であれば、デスクランブラ１０３によってスクランブルが解除され、デマルチプレクス／ＡＶデコード部１０４に入力される。デマルチプレクス／ＡＶデコード部１０４は、映像信号および音声信号と番組情報等の付加情報とを分離し、映像信号および音声信号をデコードして出力する。付加情報は、マイクロプロセッサ１０５によって取り込まれ、メモリ１０８に貯蔵される。ユーザーが例えばリモコン送信器１０７によって番組表を表示させるよう操作すると、マイクロプロセッサ１０５はメモリ１０８より付加情報を読み出し、オンスクリーン信号発生部１０９を制御し、後述するような番組表を表示させるためのオンスクリーン信号を生成する。ここで、オンスクリーン信号とは、デマルチプレクス／ＡＶデコード部１０４から出力される映像信号に重畳される映像信号あるいは静止画信号である。合成部１１０は、映像信号とオンスクリーン信号発生部１０９より出力された番組表とを合成する。そして映像信号はモニタ１１１に出力される。また音声信号は図示していないスピーカー等の音声出力装置に供給される。本発明は、オンスクリーン信号発生部１０９にて生成される番組表に特徴があり、その実施例を図２に示す。図２は、図４に示した編成で放送されている電子番組表を本発明のデジタル放送受信装置で生成して表示した番組表である。図４に示すように、放送局Ａは１０：００〜１１：００の時間帯で、割り当てられた３つのチャンネルでそれぞれ異なる番組を放送している。００：００〜０１：００の時間帯も同様である。また、１１：００〜００：００の時間帯および０１：００〜０２：００の時間帯はそれぞれ同一の番組情報を持つ番組、すなわち同一の番組を放送している。同様に放送局Ｂは２つチャンネルを割り当てられており、同一時間帯に２つのチャンネルで異なる番組を放送したり、また別の時間帯には同一の番組を放送したりしている。放送局Ｃに割り当てられているチャンネルは１チャンネルである。本発明では、同一時間帯に、放送局に割り当てられた複数のチャンネルで伝送されている番組情報が互いに異なっているか否かを判定し、異なっている場合には、その時間帯の区画に複数のチャンネルが存在することを表示している。図２に２０１、２０２、２０３として示した区画は、区画の右端の区切り線の太さを他の区切り線とは異なるように表示している。例えば、区画２０１は、放送局Ａは、１０：００〜１１：００の時間帯にニュースＡを放送しているが同じ放送局ＡにおいてニュースＡとは異なる番組をも放送中であることを示している。また区画２０４は、放送局Ａは０１：００〜０２：００の時間帯に映画Ａのみを放送していることを示している。このように同一時間帯に、放送局に割り当てられた複数のチャンネルで伝送されている番組情報が互いに異なっているか否かを判定し、異なっている場合には、その時間帯の区画に複数のチャンネルが存在することを表示することによって、モニタ１１１に表示される放送局の情報が少なくならないようになっている。
【００１０】
（実施の形態２）
図３は、請求項２記載のデジタル放送受信機による番組表の例を示す図である。３０１は、リモコン送信器１０７によるユーザーの操作がマイクロプロセッサ１０５によって制御され、チャンネルと時間帯によって決まる区画を選択されていることを示している。３０１には、図２に示す２０１と同様に複数のチャンネルで異なる番組が放送されていることを示す表示がなされている。区画３０１を選択して、さらにリモコン送信器１０７を操作すると、マイクロプロセッサ１０５によって、放送局Ａが１０：００〜１１：００の時間帯に放送している別のチャンネルの番組情報が表示される。同一時間帯に放送されている異なるチャンネルの番組情報を区画内に表示することでモニタ１１１に表示される放送局の情報を少なくしないことを実現している。
【産業上の利用可能性】
【００１１】
本発明のデジタル放送受信装置は、ある時間帯における、前記放送局より放送されるチャンネルが複数存在し、かつ、それぞれのチャンネルにおける番組情報が異なるか否かを判定する判定手段と、前記判定手段により、同一の放送局より放送されるチャンネルが複数存在し、かつ、それぞれのチャンネルにおける番組情報が異なると判定された場合には、チャンネルと時間帯によって決まる区画内に、複数のチャンネルが存在することを表示する番組情報表示手段と、を有するため、一つの放送局に複数のチャンネルが割り当てられていて、かつ、それぞれのチャンネルである時間帯に異なる番組を放送している場合でも、多くの放送局の情報をモニタ上に表示することができ、デジタル放送を受信するデジタル放送受信機、特に、番組情報提示機能を備えたデジタル放送受信機等として有用である。
【図面の簡単な説明】
【００１２】
【図１】本発明の一実施例を示すブロック図
【図２】本発明の実施の形態１における番組表の例を示す図
【図３】本発明の実施の形態２における番組表の例を示す図
【図４】従来例による番組表の例を示す図
【符号の説明】
【００１３】
１０１    アンテナ
１０２    受信復調部
１０３    デスクランブラ
１０４    デマルチプレクス／ＡＶデコード部
１０５    マイクロプロセッサ
１０６    操作部
１０７    リモコン送信機
１０８    メモリ
１０９    オンスクリーン信号発生部
１１０    合成部
１１１    モニタ
２０１    時間帯とチャンネルによって決まる番組表の区画
２０２    時間帯とチャンネルによって決まる番組表の区画
２０３    時間帯とチャンネルによって決まる番組表の区画
２０４    時間帯とチャンネルによって決まる番組表の区画
３０１    時間帯とチャンネルによって決まる番組表の区画
【図１】
2008113271.tif 000003
【図２】
2008113271.tif 000004
【図３】
2008113271.tif 000005
【図４】
2008113271.tif 000006